(57)【要約】【課題】洗濯物を網袋の中に収容した状態で洗濯を行い、その洗濯物を干す際には網袋を容易に裏返して、狭いスペースでも複数列の洗濯物を物干し状態に確実に容易に保持することができる洗濯ネット及び洗濯ネットの製造方法を提供する。【解決手段】複数の洗濯バサミ６０を有する板状の支持部材２と、支持部材２の第１端部１１に固定される第１固定部材３と、支持部材２の第２端部１２に固定される第２固定部材４と、支持部材２と第１固定部材１１の間に一端部が挟まれて固定され支持部材２と第２固定部材１２の間に他端部が挟まれて固定され、複数の洗濯バサミ６０を有する支持部材２を包み込み可能でしかも洗濯物Ｍを出し入れ可能な開口部８０を有する網袋５と、開口部８０を開閉するファスナーとを備え、開口部８０は、支持部材２の長手方向Ｌに対して交差する方向に形成されている。【選択図】図２
2010069190.tif 000002
【特許請求の範囲】
【請求項１】
洗濯物を着脱可能に保持する複数の洗濯バサミを有する板状の支持部材と、
前記支持部材の第１端部に対して固定される第１固定部材と、前記支持部材の第２端部に対して固定される第２固定部材と、
前記支持部材と前記第１固定部材との間に一端部が挟まれて固定され、前記支持部材と前記第２固定部材との間に他端部が挟まれて固定され、前記複数の洗濯バサミを有する前記支持部材を包み込み可能でしかも前記洗濯物を出し入れ可能な開口部を有する網袋と、
前記開口部を開閉するファスナーと、を備え、
前記開口部は、前記板状の支持部材の長手方向に対して交差する方向に形成されていることを特徴とする洗濯ネット。
【請求項２】
前記洗濯バサミは、
前記支持部材に取り付けられる第１基部と、突起部を有する第１挟み部と、を有する第１部材と、
前記支持部材に取り付けられる第２基部と、前記突起部を嵌め込む凹部を有し前記第１基部と前記第２基部を弾性力に抗して互いに近づく方向に押すことで前記第１挟み部との間で前記洗濯物を挟む第２挟み部と、を有する第２部材と、
を備えることを特徴とする請求項１に記載の洗濯ネット。
【請求項３】
前記板状の支持部材と前記複数の洗濯バサミを前記網袋の前記開口部から外に出して前記網袋から露出して前記洗濯物を吊り下げた状態で、前記支持部材の前記第１端部をハンガーに対して着脱可能に固定するための第１係止孔部と、前記支持部材の前記第２端部を前記ハンガーに対して着脱可能に固定するための第２係止孔部と、を有していることを特徴とする請求項１又は請求項２に記載の洗濯ネット。
【請求項４】
網袋は、前記第１端部と第２端部との間の一側又は両側に洗濯バサミ側に垂れ下げた遮蔽網を有し、遮蔽網が洗濯バサミに吊り下げた洗濯物を外部から遮蔽していることを特徴とする請求項１〜３のいずれか一項に記載の洗濯ネット。
【請求項５】
洗濯物を着脱可能に保持する複数の洗濯バサミを有する板状の支持部材の第１端部に対して第１固定部材を固定し、前記支持部材の第２端部に対して第２固定部材を固定して、前記支持部材と前記第１固定部材との間に網袋の一端部を挟んで固定し、前記支持部材と前記第２固定部材との間に網袋の他端部を挟んで固定し、
前記複数の洗濯バサミを有する前記支持部材を包み込みしかも前記洗濯物を出し入れ可能な開口部を、前記支持部材の長手方向に対して交差する方向に形成することを特徴とする洗濯ネットの製造方法。
【発明の詳細な説明】
【技術分野】
【０００１】
本発明は、洗濯物を網袋の中に収容した状態で洗濯を行え、且つその網袋を裏返した状態で洗濯物を干すことができる洗濯ネット及び洗濯ネットの製造方法に関する。
【背景技術】
【０００２】
特開２００２−３６０９７７号公報（特許文献１）には、洗濯物を出し入れ可能で、網袋の中に収容した状態で洗濯物を洗濯機に掛けるなどして洗濯することができる洗濯ネットが開示されている。また、特開２００２−２００３８８号公報（特許文献２）には、洗濯物を出し入れ可能で、網袋の中に収容した状態で洗濯物を洗濯することができ、且つ洗濯が終わった後には、網袋を裏返すことで、その洗濯物を取り外すことなく干すことを可能とした外観が幅広の薄いキャリヤケースのような形状でその四辺の内の三辺に亘ってファスナーが縫い付けられた構造の洗濯ネットが開示されている。
【０００３】
【特許文献１】特開２００２−３６０９７７号公報
【特許文献２】特開２００２−２００３８８号公報
【発明の開示】
【発明が解決しようとする課題】
【０００４】
しかしながら、上記のような特許文献１に開示された洗濯ネットでは、洗濯物を干す際に、一々洗濯物を網袋から取り出して、物干し竿などに掛け直さなければならず、その作業が煩雑であった。
【０００５】
特許文献２に開示された洗濯ネットでは、洗濯物を中から取り外して物干し竿等に掛け直さなくて済むという利点はあるものの、その平坦な外形や、変形しやすい材質からなる網袋の周囲の３辺にも亘る長いファスナーが設けられていることなどに起因して、網袋を洗濯時の閉じた状態から物干し時の開いた状態にする作業や、その逆に開いた状態から閉じた状態にする作業が行い辛いという問題がある。
【０００６】
また、洗濯挟が複数列に設けられているので、この設定のみからすると、洗濯物を複数列、一度に干すことができるようにも思われるが、実際には、その洗濯ネット全体の外形上の制約から、その洗濯ネット全体を吊り下げるための大きなスペースが必要となるという問題がある。逆に、限られたスペース内で吊り下げようとすると、例えば特許文献２の図３に示されているように、その洗濯ネットを中央部から２つ折りにしてハンガーや物干し竿に吊り下げなければならないので、実質的に、洗濯物は１列でしか干せなくなるという問題がある。
【０００７】
また、ハンガーに掛けて干す場合、洗濯後の濡れて絡まった状態の洗濯物をハンガーの掛け渡しの部分と肩当ての部分との間に通さなければならないが、そのような作業も極めて煩雑であるという問題がある。
【０００８】
本発明は、このような問題に鑑みて成されたもので、その目的は、洗濯物を網袋の中に収容した状態で洗濯を行い、その洗濯物を干す際には網袋を容易に裏返して、狭いスペースでも洗濯物を物干し状態に確実に容易に保持することができる洗濯ネット及び洗濯ネットの製造方法を提供することにある。
【課題を解決するための手段】
【０００９】
請求項１の発明の洗濯ネットは、洗濯物を着脱可能に保持する複数の洗濯バサミを有する板状の支持部材と、前記支持部材の第１端部に対して固定される第１固定部材と、前記支持部材の第２端部に対して固定される第２固定部材と、前記支持部材と前記第１固定部材との間に一端部が挟まれて固定され、前記支持部材と前記第２固定部材との間に他端部が挟まれて固定され、前記複数の洗濯バサミを有する前記支持部材を包み込み可能でしかも前記洗濯物を出し入れ可能な開口部を有する網袋と、前記開口部を開閉するファスナーと、を備え、前記開口部は、前記板状の支持部材の長手方向に対して交差する方向に形成されていることを特徴とする。
【００１０】
請求項２の発明の洗濯ネットでは、前記洗濯バサミは、前記支持部材に取り付けられる第１基部と、突起部を有する第１挟み部と、を有する第１部材と、前記支持部材に取り付けられる第２基部と、前記突起部を嵌め込む凹部を有し前記第１基部と前記第２基部を弾性力に抗して互いに近づく方向に押すことで前記第１挟み部との間で前記洗濯物を挟む第２挟み部と、を有する第２部材と、を備えることを特徴とする。
【００１１】
請求項３の発明の洗濯ネットでは、前記板状の支持部材と前記複数の洗濯バサミを前記網袋の前記開口部から外に出して前記網袋から露出して前記洗濯物を吊り下げた状態で、前記支持部材の前記第１端部をハンガーに対して着脱可能に固定するための第１係止孔部と、前記支持部材の前記第２端部を前記ハンガーに対して着脱可能に固定するための第２係止孔部と、を有していることを特徴とする。
【００１２】
請求項４の発明の洗濯ネットでは、網袋は、前記第１端部と第２端部との間の一側又は両側に洗濯バサミ側に垂れ下げた遮蔽網を有し、遮蔽網が洗濯バサミに吊り下げた洗濯物を外部から遮蔽していることを特徴とする。
【００１３】
請求項５の発明の洗濯ネットの製造方法は、洗濯物を着脱可能に保持する複数の洗濯バサミを有する板状の支持部材の第１端部に対して第１固定部材を固定し、前記支持部材の第２端部に対して第２固定部材を固定して、前記支持部材と前記第１固定部材との間に網袋の一端部を挟んで固定し、前記支持部材と前記第２固定部材との間に網袋の他端部を挟んで固定し、前記複数の洗濯バサミを有する前記支持部材を包み込みしかも前記洗濯物を出し入れ可能な開口部を、前記支持部材の長手方向に対して交差する方向に形成することを特徴とする。
【発明の効果】
【００１４】
請求項１の発明によれば、複数の洗濯バサミを有する支持部材を包み込み可能でしかも洗濯物を出し入れ可能な開口部を有する網袋と、出入口を開閉するファスナーと、を備え、開口部は、板状の支持部材の長手方向に対して交差する方向に形成されているので、この開口部を通じて洗濯物を網袋の中に収容した状態で洗濯を行い、その洗濯物を干す際には開口部を通じて網袋を容易に裏返して、狭いスペースでも洗濯物を物干し状態に確実に容易に保持することができる。
【００１５】
請求項２の発明によれば、第２挟み部は、第１挟み部の突起部を嵌め込む凹部を有しているので、洗濯バサミを成形する際には突起部を凹部に嵌め込んだ状態にして、洗濯バサミを使用する際には突起部を凹部から外して突起部を凹部の周囲に突き当てることにより、洗濯物は突起部と凹部の周囲との間に強い力で吊り下げることができる。
【００１６】
請求項３の発明によれば、洗濯ネットは、洗濯物を吊り下げた状態で、前記第１端部をハンガーに対して着脱可能に固定することができ、洗濯物を簡単に干すことができる。
【００１７】
請求項４の発明によれば、洗濯物を外に干すときに、洗濯物を外部から隠すことができる。
【００１８】
請求項５の発明によれば、開口部を通じて洗濯物を網袋の中に収容した状態で洗濯を行い、その洗濯物を干す際には開口部を通じて網袋を容易に裏返して、狭いスペースでも洗濯物を物干し状態にする洗濯ネットを簡易に製造することができる。
【発明を実施するための最良の形態】
【００１９】
以下、本発明の実施の形態に係る洗濯ネットを、添付図面を参照して説明する。
【００２０】
図１は、本発明の実施の形態に係る洗濯ネットを物干し状態（開成状態）とした際の概観を示す斜視図である。図２は、図１に示す洗濯ネットを分解した斜視図である。
【００２１】
図３は、図１に示す洗濯ネットを図１のＲ方向から見た斜視図である。図４は、この洗濯ネット内に洗濯物を包んで洗濯作業状態（閉成状態）とした場合の概観を示す斜視図である。
【００２２】
図１と図２に示すように、洗濯ネット１は、板状の支持部材２と、板状の第１固定部材３と第２固定部材４と、網袋５と、ファスナー６とを有している。板状の支持部材２は、可撓性を有する例えばプラスチック材料で作られている。板状の第１固定部材３と板状の第２固定部材４は、例えば長板状のプラスチック材料で作られている。
【００２３】
図１〜図３に示すように、支持部材２は、洗濯物Ｍを着脱可能に保持する複数の洗濯バサミ６０を有している。支持部材２は、長手方向Ｌに沿って、第１端部１１と第２端部１２と中間部１３を有している。第１端部１１と第２端部１２は、それぞれほぼ半円形状に形成されている。図３に示す支持部材２の裏側で示すように、中間部１３は、第１端部１１と第２端部１２の間に形成されており、複数の長方形状の開口部１４〜２８を有している開口部１４，１５，１６は、中間部１３の中央位置において長手方向Ｌに沿って形成されている。
【００２４】
開口部１７〜２２と開口部２３〜２８は、中間部１３の長手方向Ｌに沿って形成されている。開口部１７〜２２のそれぞれの間には、連結部３０〜３４が形成されている。同様にして、開口部２３〜２８のそれぞれの間には、連結部３５〜３９が形成されている。これらの連結部３０〜３９には、それぞれ嵌め込み用の穴６１が形成されている。
【００２５】
図１〜図３に示すように、第１端部１１のほぼ中央位置には、第１係止孔部４１が形成されており、第２端部１２のほぼ中央位置には、第２係止孔部４２が形成されている。第１係止孔部４１と第２係止孔部４２は、ともに２つの孔４３，４４と、これらの孔４３，４４を接続する切り込み４５を有する。第１端部１１と第２端部１２には、長手方向Ｌと直交するＴ方向に沿って、４つの穴部４０が間隔をおいてそれぞれ形成されている。
【００２６】
図２に示す板状の第１固定部材３と第２固定部材４は、同じ形状を有しており、それぞれ一方の面には４つの突起部４６が間隔をおいて下向きに形成されている。図２と図３に示すように、第１固定部材３の４つの突起部４６は、網袋５の一端部５１を通して第１端部１１の４つの穴部４０に対してそれぞれ着脱可能に嵌め込んで固定される。同様にして、第２固定部材４の４つの突起部４６は、網袋５の他端部５２を通して第２端部１２の４つの穴部４０に対してそれぞれ着脱可能に嵌め込んで固定される。これにより、網袋５の一端部５１と他端部５２は、第１端部１１と第２端部１２に対してそれぞれ簡単に組み立てて固定することができる。
【００２７】
図３に示すように、例えば１０個の洗濯バサミ６０が、連結部３０〜３９の嵌め込み用の穴６１に対して着脱可能に取り付けられている。このように、各洗濯バサミ６０が着脱可能に取り付けられていることにより、取り付ける洗濯バサミ６０の数を変更したり、必要に応じて洗濯バサミ６０の交換ができる。
【００２８】
ここで、洗濯バサミ６０の構造例を、図５を参照して説明する。図５（Ａ）は、洗濯バサミ６０がプラスチックにより成形される際の状態を示しており、図５（Ｂ）は、洗濯バサミ６０を実際に使用する場合の状態を示している。図５に示す洗濯バサミ６０は、第１部材７１と第２部材７２と弾性変形部７０を有する。第１部材７１は、支持部材２の中間部１３の穴６１に取り付けられる第１基部７３と、突起部７４を有する第１挟み部７５を有する。第２部材７２は、第２基部７６と、第２挟み部７８を有する。第２基部７６は、支持部材２の中間部１３の穴６１に取り付けられる。第２挟み部７８は、突起部７４を嵌め込む凹部７７を有し、図５（Ｂ）に示すように使用者が指で第１基部７３と第２基部７６を弾性力に抗して互いに近づく方向Ｓに押すことで、第１挟み部７５と第２挟み部７８との間には、洗濯物Ｍを着脱可能に挟むことができる。
【００２９】
図５（Ａ）に示すように、洗濯バサミ６０がプラスチックにより成形される際には、第１挟み部７５の突起部７４が、第２挟み部７８の凹部７７に嵌め込まれた状態で成形される。しかし、洗濯バサミ６０を実際に使用する場合には、図５（Ｂ）に示すように、第１挟み部７５の突起部７４を、図５（Ａ）の紙面垂直方向に互いにずらして第２挟み部７８の凹部７７から外す。これにより、突起部７４が弾性変形部７０の力に抗して、第２挟み部７８の内端部７９に突き当てられた状態になっている。これにより、突起部７４を第２挟み部７８の内端部７９に突き当てる力を増すことができるので、突起部７４を第２挟み部７８の内端部７９が洗濯物Ｍを挟むときの挟持力Ｆを増すことができる。
【００３０】
次に、図１と図２及び図４を参照して、網袋５とファスナー６について説明する。図１と図２に示すように、すでに説明したように、第１固定部材３の４つの突起部４６は、網袋５の一端部５１を通して第１端部１１の４つの穴部４０に対してそれぞれ外れないように嵌め込んで着脱可能に固定される。同様にして、第２固定部材４の４つの突起部４６は、網袋５の他端部５２を通して第２端部１２の４つの穴部４０に対してそれぞれ外れないように嵌め込んで着脱可能に固定される。
【００３１】
図１と図４に示すように、網袋５は、複数の洗濯バサミ６０を有する支持部材２を包み込み可能でしかも洗濯物Ｍを出し入れ可能な開口部８０を有する。網袋５は、袋状の第１部分８１と第２部分８２を有しており、第１部分８１と第２部分８２との間に開口部８０が形成されている。この開口部８０の形成方向は、長手方向Ｌと交差する方向、図示例では好ましくは長手方向Ｌと直交するＴ方向に形成されている。しかも開口部８０は、網袋５において長手方向Ｌの中央位置に形成されている。
【００３２】
図２に示すように、第１部分８１の縁部分８３と第２部分８２の縁部分８４には、ファスナー８０Ｆのレール８５，８６が設けられている。レール８５，８６に沿ってスライダー８７をスライドすることにより、開口部８０は開閉可能である。
【００３３】
次に、上述した構造の洗濯ネット１の使用例を説明する。先ず、図２に示すように、洗濯ネット１の製造方法を説明する。板状の支持部材２には、すでに１０個の洗濯バサミ６０が取り付けられている。支持部材２から各洗濯バサミ６０を吊り下げた状態で、網袋５を支持部材２の上面側に載せ、第１固定部材３の４つの突起部４６が、網袋５の一端部５１を通して第１端部１１の４つの穴部４０に対してそれぞれ外れないように嵌め込んで固定される。同様にして、第２固定部材４の４つの突起部４６が、網袋５の他端部５２を通して第２端部１２の４つの穴部４０に対してそれぞれ外れないように嵌め込んで固定される。このようにして組み立てられた洗濯ネット１では、図１に示すように各洗濯バサミ６０を用いて洗濯物Ｍを吊り下げる。
【００３４】
次に、吊り下げた洗濯物Ｍを洗濯する場合には、図１と図３に示すように、利用者が網袋５の第１部分８１と第２部分８２をそれぞれＰ１、Ｐ２方向に回すことにより、図４に示すように網袋５の第１部分８１と第２部分８２は、洗濯物Ｍと板状部材２を内部に収容することができる。そして、スライダー８７をレール８５，８６に沿ってＨ１方向にスライドすることにより、開口部８０は閉じることができる。このように網袋５により包まれた状態の洗濯ネット１を、洗濯機内に入れて洗濯することにより、洗濯ネット１内の洗濯物Ｍを網袋５で包んだ状態で保護しながら簡単に洗濯できる。
【００３５】
以上説明したように、本発明の実施形態の洗濯ネットは、洗濯物を網袋の中に収容した状態で洗濯を行い、その洗濯物を干す際には網袋を容易に裏返して、狭いスペースでも洗濯物を物干し状態に確実に容易に保持することができる。
【００３６】
次に、洗濯後、洗濯ネット１内の洗濯物Ｍを干す場合には、利用者が図４のスライダー８７をレール８５，８６に沿ってＨ２方向にスライドすることにより、網袋５の第１部分８１と第２部分８２の間には開口部８０が再び形成される。このため、利用者が図４に示す網袋５の第１部分８１と第２部分８２をＣ１、Ｃ２方向に展開することにより、図１と図３に示す状態になる。その後、図３に示す洗濯ネット１の状態を上下逆にすると、図１に示す状態になる。すなわち、洗濯物Ｍが吊り下げられた状態になる。
【００３７】
そして、例えば図６と図７に示すように吊り下げ用のハンガー１００を用意して、このハンガー１００の一端１０１を第１端部１１の第１係止孔部４１に嵌め込むとともに、
ハンガー１００の他端１０２を第２端部１２の第２係止孔部４２に嵌め込む。これにより、図６に示すように、洗濯ネット１は、複数の洗濯物Ｍを吊り下げた状態で、ハンガー１００に対して伸ばした状態で着脱可能に保持できるので、洗濯ネット１の洗濯物Ｍは、この種のハンガー１００を用いて簡単に吊り下げた状態で干すことができる。
【００３８】
ハンガー１００の一端１０１を第１端部１１の第１係止孔部４１に嵌め込むとともに、
ハンガー１００の他端１０２を第２端部１２の第２係止孔部４２に嵌め込む際には、ハンガー１００の一端１０１と他端１０２が略三角形状になっていて、しかも図７（Ｂ）に示すように、断面円形状であるので、ハンガー１００の一端１０１と他端１０２をそれぞれ第１係止孔部４１の切り込み４５と第２係止孔部４２の切り込み４５に押し当てると、この切り込み４５の両側縁が押し広げられて、２つの穴４３，４４に確実に挿入され、切り込み４５の両側縁が弾性復帰する。これにより、洗濯ネット１の第１端部１１と第２端部１２は、ハンガー１００の一端１０１と他端１０２に対してそれぞれ着脱可能に容易に固定できる。尚、図７（Ａ）に示すハンガー１００は、段差部を有しているが、この段差部が切り込み４５の両側縁に係止することができる。
【００３９】
本発明は上述した実施の形態のみに限定されず、その要旨を逸脱しない範囲内において種々の変形が可能である。例えば、洗濯バサミの形状は、図示した例に限らず、しかも洗濯バサミの設定される数は、１０個に限らずに任意に選択することができる。板状部材２の長手方向Ｌの長さは、特に限定されないが、網袋の中に収納できる長さである。洗濯バサミは、２列配列されているが、１列あるいは３列以上配列されていても良い。網袋の開口部が形成されている方向は、長手方向Ｌに対して直交する方向だけでなく交差する方向、例えば斜め方向であっても良い。何れにして、網袋の開口部が形成されている方向は、長手方向Ｌに対して任意の方向を選択でき、板状部材と洗濯物を収納できるように設定される。
【００４０】
また、網袋５には、一端部５１と他端部５２との間の両側又は一側に遮蔽網９１を設けて、図８に示すように、干してある洗濯物を外部から遮蔽するようにしても良い。この場合、遮蔽網９１は網袋５と同じ網材（素材）でできており、網袋５を製造するときに網材の一片を編袋５の一側又は両側から延出するように形成しても良いし、網袋５と別体に製造して網袋５に縫い付けて取付けるものであっても良い。更に、網袋５と別体に設けた遮蔽布９１に係合突起を設けて網袋の網目に着脱自在に係合して取付けるものであって良い。
【図面の簡単な説明】
【００４１】
【図１】本発明の実施の形態に係る洗濯ネットを物干し状態とした場合の概観を示す斜視図である。
【図２】図１に示す洗濯ネットの分解斜視図である。
【図３】図２に示す洗濯ネットをＲ方向から見た斜視図である。
【図４】洗濯ネットの表裏（内外）を入れ替えて、洗濯物を干すときの洗濯ネットの斜視図である。
【図５】洗濯ネットの形状例を示す正面図である。
【図６】洗濯ネットをハンガーに保持して洗濯物を干している状態を示す正面図である。
【図７】洗濯ネットをハンガーに保持する構造例を示す斜視図である。
【図８】洗濯ネットの変形例であって、変形例にかかる洗濯ネットをハンガーに保持して洗濯物を干している状態を示す正面図である。
【符号の説明】
【００４２】
１          洗濯ネット
２          板状の支持部材
３          板状の第１固定部材
４          板状の第２固定部材
５          網袋
６          ファスナー
１１        第１端部
１２        第２端部
１３        中間部
３０〜３９  連結部
４０        穴部
４１        第１係止孔部
４２        第２係止孔部
４６        突起部
５１        網袋の一端部
５２        網袋の他端部
６０        洗濯バサミ
７３，７６  第１基部
７４        第１挟み部の突起部
７５        第１挟み部
７７        第２挟み部の凹部
７８        第２挟み部
８０        開口部
８０Ｆ      ファスナー
９１        遮蔽網
【図１】
2010069190.tif 000003
【図２】
2010069190.tif 000004
【図３】
2010069190.tif 000005
【図４】
2010069190.tif 000006
【図５】
2010069190.tif 000007
【図６】
2010069190.tif 000008
【図７】
2010069190.tif 000009
【図８】
2010069190.tif 000010